(57)【要約】【課題】安全に使用可能であり、美容効果に加えて、ツボの刺激による血行促進効果も得られるフェイスマスク、および、各種のフェイスマスクを加温するための加温装置を提供すること。【解決手段】フェイスマスク１は、加温した状態で、顔面に装着して使用される。このフェイスマスク１は、シート状のマスク本体２と、マスク本体２の内側の面（顔面に装着される側の面）から突出した複数の突部３と、少なくとも複数の突部３に保持された液体とを有する。また、複数の突部３は、顔面のツボに対応する位置に配置されている。【選択図】図１
0003225091.tif 000002
【実用新案登録請求の範囲】
【請求項１】
加温した状態で、顔面に装着して使用されるフェイスマスクであって、
シート状のマスク本体と、
該マスク本体の前記顔面に装着される側の面から突出し、前記顔面のツボに対応する位置に配置された複数の突部と、
前記マスク本体および前記複数の突部の少なくとも一方に保持された液体とを有することを特徴とするフェイスマスク。
【請求項２】
前記複数の突部は、印堂、水溝および承奨の３つのツボに対応する位置に配置された３つの前記突部を含み、
当該フェイスマスクは、前記３つの突部を基準として、前記顔面に装着される請求項１に記載のフェイスマスク。
【請求項３】
前記マスク本体は、伸縮性を有する請求項１または２に記載のフェイスマスク。
【請求項４】
前記マスク本体は、不織布で構成されている請求項１〜３のいずれか１項に記載のフェイスマスク。
【請求項５】
各前記突部は、硬化性樹脂を含む樹脂組成物の硬化物で構成されている請求項１〜４のいずれか１項に記載のフェイスマスク。
【請求項６】
前記液体は、保湿成分、薬効成分および美白成分のうちの少なくとも１種を含有する請求項１〜５のいずれか１項に記載のフェイスマスク。
【請求項７】
フェイスマスクを加温するための加温装置であって、
前記フェイスマスクを収容可能な収容空間を備える装置本体と、
該装置本体内に設けられ、前記フェイスマスクを加温する加温部と、
前記装置本体に回動可能に取り付けられ、前記収容空間を開閉する蓋体とを有することを特徴とする加温装置。
【請求項８】
前記蓋体の前記収容空間側の面は、反射面を構成している請求項７に記載の加温装置。
【請求項９】
前記フェイスマスクの最高到達温度は、４５℃以下である請求項７または８に記載の加温装置。
【請求項１０】
前記フェイスマスクを加温する際の昇温速度は、１〜３℃／分である請求項７〜９のいずれか１項に記載の加温装置。
【請求項１１】
前記フェイスマスクは、請求項１〜６のいずれか１項に記載のフェイスマスクである請求項７〜１０のいずれか１項に記載の加温装置。
【考案の詳細な説明】
【技術分野】
【０００１】
本考案は、フェイスマスクおよび加温装置に関する。
【背景技術】
【０００２】
現在、フェイスマスクを利用するユーザーの中には、入浴時にフェイスマスクを湯舟に貯留されたお湯に浮かべ、お湯の温度程度に加温し、入浴後に顔面に装着するユーザーが存在する。すなわち、蒸しタオルのようにして、フェイスマスクを利用するユーザーがいる。また、フェイスマスク内に発熱線を配置して、保温するように構成した例も開示されている（例えば、特許文献１参照）。
しかしながら、フェイスマスクを湯舟のお湯に浮かべる方法では、フェイスマスクの温度を適温に加熱することが難しい。一方、フェイスマスク内に発熱線を配置する方法では、ユーザーが使用時に感電する危険性が危惧される。
【先行技術文献】
【特許文献】
【０００３】
【特許文献１】特開昭５４−９７１４８号公報
【考案の概要】
【考案が解決しようとする課題】
【０００４】
本考案の目的は、安全に使用可能であり、美容効果に加えて、ツボの刺激による血行促進効果も得られるフェイスマスク、および、各種のフェイスマスクを加温するための加温装置を提供することにある。
【課題を解決するための手段】
【０００５】
このような目的は、下記（１）〜（１１）の本考案により達成される。
（１）  加温した状態で、顔面に装着して使用されるフェイスマスクであって、
シート状のマスク本体と、
該マスク本体の前記顔面に装着される側の面から突出し、前記顔面のツボに対応する位置に配置された複数の突部と、
前記マスク本体および前記複数の突部の少なくとも一方に保持された液体とを有することを特徴とするフェイスマスク。
【０００６】
（２）  前記複数の突部は、印堂、水溝および承奨の３つのツボに対応する位置に配置された３つの前記突部を含み、
当該フェイスマスクは、前記３つの突部を基準として、前記顔面に装着される上記（１）に記載のフェイスマスク。
【０００７】
（３）  前記マスク本体は、伸縮性を有する上記（１）または（２）に記載のフェイスマスク。
【０００８】
（４）  前記マスク本体は、不織布で構成されている上記（１）〜（３）のいずれか１つに記載のフェイスマスク。
【０００９】
（５）  各前記突部は、硬化性樹脂を含む樹脂組成物の硬化物で構成されている上記（１）〜（４）のいずれか１つに記載のフェイスマスク。
【００１０】
（６）  前記液体は、保湿成分、薬効成分および美白成分のうちの少なくとも１種を含有する上記（１）〜（５）のいずれか１つに記載のフェイスマスク。
【００１１】
（７）  フェイスマスクを加温するための加温装置であって、
前記フェイスマスクを収容可能な収容空間を備える装置本体と、
該装置本体内に設けられ、前記フェイスマスクを加温する加温部と、
前記装置本体に回動可能に取り付けられ、前記収容空間を開閉する蓋体とを有することを特徴とする加温装置。
【００１２】
（８）  前記蓋体の前記収容空間側の面は、反射面を構成している上記（７）に記載の加温装置。
【００１３】
（９）  前記フェイスマスクの最高到達温度は、４５℃以下である上記（７）または（８）に記載の加温装置。
【００１４】
（１０）  前記フェイスマスクを加温する際の昇温速度は、１〜３℃／分である上記（７）〜（９）のいずれか１つに記載の加温装置。
【００１５】
（１１）  前記フェイスマスクは、上記（１）〜（６）のいずれか１つに記載のフェイスマスクである上記（７）〜（１０）のいずれか１つに記載の加温装置。
【考案の効果】
【００１６】
本考案のフェイスマスクによれば、安全に使用可能であり、美容効果に加えて、ツボの刺激による血行促進効果も得られる。また、本考案の加温装置によれば、フェイスマスクの種類によらず、簡便に適温に加温することができる。
【図面の簡単な説明】
【００１７】
【図１】図１は、本考案のフェイスマスクの実施形態を示す平面図である。
【図２】図２は、図１に示すフェイスマスクの断面図である。
【図３】図３は、本考案の加温装置を示す斜視図である。
【図４】図４は、図３中のＡ−Ａ線断面図である。
【考案を実施するための形態】
【００１８】
以下、本考案のフェイスマスクおよび加温装置を添付図面に示す好適な実施形態に基づいて詳細に説明する。
＜フェイスマスク＞
図１は、本考案のフェイスマスクの実施形態を示す平面図、図２は、図１に示すフェイスマスクの断面図である。なお、以下では、説明の都合上、図１中の紙面奥側を「外側」、紙面手前側を「内側（または顔面側）」と言い、図２中の上側を「内側（または顔面側）」、下側を「外側」と言う。
【００１９】
図１に示すフェイスマスク１は、加温した状態で、顔面に装着して使用される。このフェイスマスク１は、シート状のマスク本体２と、マスク本体２の内側の面（顔面に装着される側の面）から突出した複数の突部３と、マスク本体２および複数の突部３の少なくとも一方に保持された液体とを有する。また、複数の突部３は、顔面のツボに対応する位置に配置されている。
かかる構成のフェイスマスク１によれば、安全に使用可能であり、顔面に装着することで、美容効果に加えて、ツボの刺激による血行促進効果も得られる。
【００２０】
マスク本体２には、フェイスマスク１を顔面に装着した際に、目を露出させるための２つの開口２１と、口を露出させるための１つの開口２２と、鼻を通過させ、鼻の穴を露出させるための１つのコ字状のスリット２３と、顎に対応する位置には、中心線Ｏに沿った直線状のスリット２４が形成されている。
また、マスク本体２は、伸縮性を有することが好ましい。これにより、ユーザーの顔面に大きさに係らず、マスク本体２を伸張させることで、複数の突部３を目的とするツボに対応する位置に接触させることができる。
【００２１】
かかるマスク本体２は、例えば、不織布、織布、ゴムシート、樹脂シート等で構成することができる。中でも、マスク本体２は、不織布で構成することが好ましい。不織布で構成されるマスク本体２であれば、伸張した状態で顔面に装着した際に、元の形状に復元し難い。このため、フェイスマスク１の装着後に、複数の突部３が目的とするツボから位置ズレするのを効果的に防止することができる。また、マスク本体２にも液体を保持する際には、その保持性が高いことから好ましい。
【００２２】
不織布としては、スパンボンド不織布、スパンレース不織布、サーマルボンド不織布、レジンポンド不織布、ニードルパンチ不織布、スティッチボンド不織布等が挙げられる。中でも、不織布としては、スパンボンド不織布が好ましい。スパンボンド不織布であれば、柔軟性が高く、使用感にも優れる。
この場合、スパンボンド不織布を構成する単繊維は、その繊維径が０．５〜１０ｄｔｅｘであることが好ましく、１〜４ｄｔｅｘであることがより好ましい。また、スパンボンド不織布は、その目付が５〜４０ｇ／ｍ２であることが好ましく、１０〜３０ｇ／ｍ２であることがより好ましい。
【００２３】
不織布、織布または樹脂シートの構成材料としては、例えば、ポリエチレン、ポリプロピレン、ポリエチレンテレフタレート、ポリウレタン、エチレン−プロピレンランダム共重合体、レーヨン、セルロース（バイオセルロース）等が挙げられる。
一方、ゴムシートの構成材料としては、例えば、シリコーンゴム等が挙げられる。
【００２４】
複数の突部（ツボ山）３は、マスク本体２の中心線Ｏ（人体の正中線）を介して左右対称に配置されている。ただし、人体の正中線に沿って位置する印堂、水溝および承奨の３つのツボに対応する位置に配置された突部３１、３２、３３は、それぞれ１つのみである。
フェイスマスク１では、これらの３つの突部３１、３２、３３を基準として、顔面に装着することにより、その他の突部３が目的とするツボに対応して自然に配置されるように構成されている。したがって、フェイスマスク１は、正確に顔面に装着し易く、ツボの刺激による血行促進効果がより高い。
【００２５】
他の突部３により刺激すべきツボとしては、例えば、陽白、攅竹、絲竹空、太陽、晴明、四白、球後、瞳子りょう、鼻通、迎香、巨りょう、顴りょう、地倉等が挙げられる。これらのツボを刺激することにより、美容効果をより高めることができる。
図２に示すように、各突部３は、半球状をなしている。なお、各突部３の形状は、半球状に限らず、ツボが良好に刺激されればよく、球状、円錐状、角錐状（三角錐状、四角錐状）等とすることもできる。
各突部３の最大幅（直径等）は、５〜１５ｍｍであることが好ましく、７〜１３ｍｍであることがより好ましく、各突部３の最大高さは、２〜６ｍｍであることが好ましく、２〜４ｍｍであることがより好ましい。かかるサイズの突部３であれば、顔面への接触位置が目的とするツボの中心から若干ズレた場合でも、十分なツボの刺激による血行促進効果が得られる。
【００２６】
各突部３の構成材料としては、例えば、銅、アルミニウムまたはこれらの合金のような各種金属材料、シリカ、アルミナ、チタニアのような各種セラミックス材料、各種磁性材料、硬化性樹脂のような各種樹脂材料等が挙げられ、これらのうちの１種または２種以上を組み合わせて用いることができる。
金属材料またはセラミックス材料で構成される各突部３は、マスク本体２に対して、例えば、シリコーン系接着剤等により接着することができる。
【００２７】
各突部３を樹脂材料で構成する場合、各突部３は、硬化性樹脂を含む樹脂組成物の硬化物で構成されることが好ましい。例えば、樹脂組成物中に発泡剤を混合しておけば、各突部３を多孔質体とすることができる。この場合、より多量の液体を各突部３に保持させることができ、よって、各突部３の温度低下がより緩やかになる。すなわち、各突部３の温度がより長時間にわたって適温に保持されるようになる。
硬化性樹脂としては、例えば、紫外線硬化性樹脂、熱硬化性樹脂、反応硬化性樹脂、嫌気硬化性樹脂等が挙げられる。
【００２８】
また、各突部３は、別途形成した粒体を、接合によりマスク本体２となる２枚のシート材（例えば、不織布）で挟持することで形成してもよい。上記粒体は、各種金属材料、各種セラミックス材料、各種樹脂材料（例えば、不織布）で構成することができる。
マスク本体２の厚さは、特に限定されないが、乾燥状態で０．５〜１．５ｍｍであることが好ましく、０．７〜１．３ｍｍであることがより好ましい。かかる厚さのマスク本体２であれば、その機械的強度と伸張力とをバランスよく有することができる。
【００２９】
液体は、マスク本体２および複数の突部３の少なくとも一方に保持されていればよい。すなわち、液体は、マスク本体２のみに保持されていてもよく、複数の突部３のみに保持されていてもよく、マスク本体２および複数の突部３の双方に保持されていてもよいが、マスク本体２および複数の突部３の双方に保持されていることが好ましい。この場合、フェイスマスク１を加温した際に、その全体において温度を均一に保持し易い。
かかる液体は、単なる水、生理食塩水等であってもよいが、その他の成分を含有していてもよい。この場合、含有する成分に応じて、フェイスマスク１に他の機能を付与することができる。
他の成分としては、保湿成分、薬効成分および美白成分のうちの少なくとも１種が好ましい。
【００３０】
保湿成分としては、例えば、多価アルコール類（グリセリン、１，３−ブチレングリコール、プロピレングリコール、ポリエチレングリコール、ジグリセリン等）、糖類（トレハロース、キシリトール、オリゴ糖等）、ヒアルロン酸類、ヘパリン類似物質、高分子化合物類（コンドロイチン硫酸ナトリウム、コラーゲン、エラスチン、ケラチン、キチン、キトサン等）、アミノ酸類（グリシン、アスパラギン酸、アルギニン等）、天然保湿物質類（乳酸ナトリウム、尿素、ピロリドンカルボン酸ナトリウム等）、脂質類（セラミド、コレステロール、リン脂質等）、植物抽出エキス類（カミツレエキス、ハマメリスエキス、チャエキス、シソエキス、ヨクイニンエキス等）等が挙げられる。
【００３１】
薬効成分としては、例えば、サリチル酸メチル、サリチル酸グリコール、インドメタシン、ｌ−メントール、ハッカ油、ユーカリ油、ｄｌ−カンフル、トウガラシエキス、ノニル酸ワニリルアミド、酢酸トコフェロール、ジフェンヒドラミン、マレイン酸クロルフェニラミン、チモール等が挙げられる。
【００３２】
美白成分としては、例えば、トラネキサム酸、４−メトキシサリチル酸カリウム塩、コウジ酸、コウジ酸塩またはそれらの誘導体、アルブチン、アルブチン塩またはそれらの誘導体、アスコルビン酸、アスコルビン酸ナトリウム、ステアリン酸アスコルビル、パルミチン酸アスコルビル、ジパルミチン酸アスコルビル、アスコルビン酸２−グルコシド、グリセリルアスコルビン酸、ビスグリセリルアスコルビン酸、３−グリセリルアスコルビン酸、ヘキシル３−グリセリルアスコルビン酸、ミリスチル３−グリセリルアスコルビン酸、３−ラウリルグリセリルアスコルビン酸、プラセンターエキス、アスコルビルリン酸ナトリウム、ウンデシレノイルフェニルアラニン、フェニルエチルレゾルシノール、Ｌ−システイン、アセチル−Ｌ−システイン等が挙げられる。
【００３３】
液体は、さらに、他の成分として、水溶性高分子、顔料、収れん剤、皮膚賦活化剤、抗菌剤、酸化防止剤、香料等を含有していてもよい。
なお、各突部３を樹脂組成物の硬化物で構成する場合、上記他の成分を樹脂組成物に添加した状態で、各突部３を形成するようにしてもよい。これにより、各突部３内に他の成分を保持することができる。
【００３４】
＜加温装置＞
図３は、本考案の加温装置を示す斜視図、図４は、図３中のＡ−Ａ線断面図である。なお、以下では、説明の都合上、図３および図４中の上側を「上（または上方）」、下側を「下（または下方）」と言う。
図３に示す加温装置１００は、フェイスマスクを加温するための装置である。この加温装置１００は、装置本体２００と、装置本体２００にヒンジ部４００を介して回動可能に取り付けられた蓋体３００とを有する。
装置本体２００は、図４に示すように、上部開口２１１を備える筐体２１０を備える。筐体２１０は、上部開口２１１を囲むように、内側に向けて突出したリブ２１２を備え、このリブ２１２に加温板２２０が固定されている。これにより、加温板２２０は、上部開口２１１を塞いでいる。
【００３５】
かかる構成において、装置本体２００の加温板２２０より上側の空間が、フェイスマスクを収容可能な収容空間２３０を構成している。この収容空間２３０は、蓋体３００を装置本体２００に接触させることにより閉鎖され、一方、蓋体３００を装置本体２００から離間させることにより開放される。
また、装置本体２００には、その上面の左奥側に電源スイッチ２４０が、右奥側の角部にＬＥＤランプ２５０が、左側面の奥側にＡＣアダプタ接続口２６０がそれぞれ設けられている。なお、ＬＥＤランプ２５０は、蓋体３００を閉じた状態でも外部から視認可能となっている。
筐体２１０は、断熱性に優れた樹脂材料で構成されるのが好ましく、加温板２２０は、伝熱性に優れた金属材料（例えば、アルミニウム）で構成されるのが好ましい。
【００３６】
装置本体２００の加温板２２０より下側の空間（すなわち、装置本体２００の内部空間）には、フェイスマスクを加温する加温部５００および加温板２２０の温度を検出する温度検出部６００が、加温板２２０に接触して配置されている。
また、装置本体２００の内部空間には、図示しない制御部（制御回路）が配置されており、電源からの電力は、制御部を介して加温部５００および温度検出部６００に供給される。
【００３７】
加温部５００は、例えば、電力供給、すなわち、通電により発熱するニクロム線を有している。ニクロム線が発熱することにより、加温板２２０を迅速に加温（加熱）することができる。なお、加温部５００は、ニクロム線に代えて、加温板２２０に向けて赤外線を含む光を照射するランプ（ハロゲンランプ、白熱球等）等を有していてもよい。
温度検出部６００は、加温板２２０の温度を検出することができる。温度検出部６００には、例えば、サーミスタや熱電対等を用いることができる。なお、加温板２２０に対する温度検出部６００の接触箇所は、加温板２２０の下面に限らず、加温板２２０の上面であってもよいし、加温板２２０の下面および上面の双方であってもよい。
【００３８】
蓋体３００は、平板状の部材で構成されている。この蓋体３００は、断熱性に優れた樹脂材料で構成されることが好ましい。
また、蓋体３００の内側面（収容空間２３０側の面）は、反射面３１０を構成している。反射面３１０を設ければ、収容空間２３０内の熱が反射され、加温装置１００外に放射されるのを遅延させることができる。これにより、加温部５００への電力供給を遮断した後も、蓋体３００で収容空間２３０を閉鎖しておけば、フェイスマスクの加温状態を一定の時間維持すること、すなわち保温することができる。
【００３９】
また、ユーザーが反射面３１０を鏡として使用して、フェイスマスクを顔面に対して位置合わせする操作を行い易いという利点もある。
この反射面３１０は、例えば、ガラス板、金属板等を蓋体３００の内側面に貼着する方法、金属被膜を蓋体３００の内側面に蒸着する方法等により形成することができる。
また、蓋体３００には、その内側面の左下側に、蓋体３００を閉じた際に、電源スイッチ２４０が退避可能な凹部３２０が設けられている。これにより、蓋体３００による収容空間２３０の高い密閉性を確保することができる。
【００４０】
さらに、加温装置１００は、インターロックスイッチ７００を有する。インターロックスイッチ７００を設けることにより、電源スイッチ２４０がオンされ、加温装置１００に電力が供給されている状態であっても、蓋体３００を閉じない限り、電力が加温部５００に供給されることがない。したがって、蓋体３００を開けている状態では、加温板２２０が加温部５００で加熱されることがないため、誤って高温の加温板２２０に触れる危険性が少ない。
【００４１】
加温装置１００の幅（図４中の左右方向の長さ）は、１５０〜３００ｍｍであるのが好ましく、１７５〜２２５ｍｍであるのがより好ましく、その奥行（図４中の紙面前後方向の長さ）は、１２５〜２５０ｍｍであるのが好ましく、１５０〜２００ｍｍであるのがより好ましい。また、蓋体３００を閉じた状態で、加温装置１００全体での高さは、１０〜２０ｍｍであるのが好ましく、１２．５〜１７．５ｍｍであるのがより好ましい。
【００４２】
次に、加温装置１００の使用方法（作用）について説明する。ここでは、一例として、図１に示すフェイスマスク１（本考案のフェイスマスク）を加温する場合について説明するが、その他のフェイスマスクを加温する場合も同様である。なお、以下の説明では、加温装置１００の使用環境の温度（すなわち、気温）を室温（２５℃）とする。
また、フェイスマスク１は、通常、上下に２つ折りした後、さらに、これを３つ折りした状態（すなわち、６つ折りした状態）で、１枚ずつ包材に個装されている。このように折り畳むことにより、フェイスマスク１の加温効果を高めることができる。包材は、例えば、アルミラミネートフィルム、アルミ蒸着フィルム等で構成されることが好ましい。
【００４３】
まず、加温装置１００の蓋体３００を開けた状態とする。そして、電源スイッチ２４０をオンする。このように蓋体３００を開けた状態でないと、電源スイッチ２４０をオンできない構成とすれば、子供等による加温装置１００の誤操作を防止することができる。
なお、この状態では、インターロックスイッチ７００がオフであるため、加温部５００は、電源からの電力が未だ供給されておらず、通電状態となっていない。
このとき、ＬＥＤランプ２５０は、加温部５００が未加温（未作動）状態であることを報知するために、例えば、青色に点灯する。
【００４４】
次いで、装置本体２００の収容空間２３０内に、個装されたフェイスマスク１を収容し、蓋体３００で収容空間２３０を閉鎖する。これにより、インターロックスイッチ７００がオンされ、加温部５００に電源から電力が供給される。その結果、加温部５００が発熱することにより、加温板２２０を介して、フェイスマスク１の加熱（加温）が開始される。
このとき、ＬＥＤランプ２５０は、フェイスマスク１が加温中であることを報知するために、例えば、赤色に点灯する。
【００４５】
フェイスマスク１を加温する際の昇温速度は、１〜３℃／分であることが好ましく、１．５〜２．５℃／分であることがより好ましい。かかる昇温速度であれば、フェイスマスク１の変質や劣化を防止しつつ、比較的短時間でフェイスマスク１を目的の温度に加温することができる。また、加温板２２０の温度が急激に上昇しないため、安全性も高い。
また、フェイスマスク１の最高到達温度は、４５℃以下であることが好ましく、３８〜４２℃であることがより好ましい。かかる温度にフェイスマスク１を加温し、顔面に装着することで、十分なリラクゼーション効果が期待される。
【００４６】
次いで、温度検出部６００が、フェイスマスク１の最高到達温度に対応する温度に加温板２２０の温度（４２〜４５℃程度）に到達したことを検出すると、加温部５００への電力の供給が遮断されて、加温部５００が非通電状態となる。なお、加温板２２０の温度とフェイスマスク１の最高到達温度との関係は、予め求められた関係に基づいて設定される。また、フェイスマスク１の仕様を変更した場合に、設定温度（最高到達温度）を変更可能な構成にしてもよい。さらに、加熱部５００（熱源）の構成を変更した場合には、温度検出部６００を省略することもできる。
このとき、ＬＥＤランプ２５０は、フェイスマスク１が最高到達温度に到達したことを報知するため、例えば、ピンク色に点灯する。
【００４７】
この状態で、蓋体３００を開けない場合、加温板２２０の温度が徐々に低下し、所定の温度（３５〜３８℃程度）にまで到達すると、再度、加温部５００への電力の供給が開始されて、加温部５００が通電状態となる。これにより、加温板２２０を介したフェイスマスク１の加温が再開される。
このとき、ＬＥＤランプ２５０は、フェイスマスク１が加温中であることを報知するために、再度、赤色に点灯する。
蓋体３００が開けられるまで、上記動作が繰り返され、フェイスマスク１の最高到達温度を維持することができる。
【００４８】
次いで、蓋体３００を開けると、インターロックスイッチ７００がオフとなり、加温部５００への電力の供給が遮断される。
このとき、ＬＥＤランプ２５０は、加温部５００が未加温（未作動）状態であることを報知するために、再度、青色に点灯する。
このように、ＬＥＤランプ２５０の発光色の違いにより、加温装置１００の作動状態を目視にて確認できるため、ユーザーの安全性を高めることができる。
なお、フェイスマスク１を収容空間２３０内に収容していない状態で、蓋体３００を閉じた場合（すなわち、空焚きした場合）には、温度検出部６００により加温板２２０が約４０〜４２℃にまで到達すると、加温部５００への電力の供給が遮断されるように構成することが好ましい。なお、フェイスマスク１が収容空間２３０内に収容された状態であるか否かの判断は、例えば、温度検出部６００により加温板２２０の昇温速度の違いを検出するように構成すれば可能である。
【００４９】
また、仮に、温度検出部６００が故障した場合でも、供給する電力量と加熱の方法とを設定により、加温部５００は、加温板２２０を約５５〜５８℃までしか加熱できないように構成することが好ましい。
さらに、蓋体３００が装置本体２００から脱落した場合には、蓋体２００を閉じることができないため、インターロックスイッチ７００がオンになることはない。このため、加温部５００が作動することなく、安全性が高い。
【００５０】
その後、ユーザーは、収容空間２３０から、個装されたフェイスマスク１を取り出す。そして、包材を開封して、フェイスマスク１を包材から取り出した後、拡げて、自身の顔面に装着し、両手でしっかり押し当てる。かかるフェイスマスク１によれば、安全に使用可能であり、美容効果に加えて、加温された突部３の熱でのツボの刺激による血行促進効果も得られる。また、加温されているので、優れたリラクゼーション効果も発揮される。さらに、加温装置１００を使用して加温するため、フェイスマスク１を目的の温度に正確かつ簡便に加温することができる。
なお、フェイスマスク１は、通常、１回の使用で廃棄（使い捨て）されるが、その構成等によっては繰り返して使用することもできる。
【００５１】
以上、本考案のフェイスマスクおよび加温装置を図示の実施形態について説明したが、本考案は、これに限定されるものではない。
例えば、フェイスマスクおよび加温装置を構成する各部は、同様の機能を発揮し得る任意の構成と置換することができ、また、任意の構成物が付加されていてもよい。
また、加温装置は、電源から供給される電力を蓄電する２次電池（リチウムイオン電池等）を有していてもよい。
【符号の説明】
【００５２】
１            フェイスマスク
２            マスク本体
２１、２２    開口
２３、２４    スリット
３、３１、３２、３３  突部
１００        加温装置
２００        装置本体
２１０        筐体
２１１        上部開口
２１２        リブ
２２０        加温板
２３０        収容空間
２４０        電源スイッチ
２５０        ＬＥＤランプ
２６０        ＡＣアダプタ接続口
３００        蓋体
３１０        反射面
３２０        凹部
４００        ヒンジ部
５００        加温部
６００        温度検出部
７００        インターロックスイッチ
Ｏ            中心線
【図１】
0003225091.tif 000003
【図２】
0003225091.tif 000004
【図３】
0003225091.tif 000005
【図４】
0003225091.tif 000006
【手続補正書】
【提出日】令和1年12月3日(2019.12.3)
【手続補正１】
【補正対象書類名】実用新案登録請求の範囲
【補正対象項目名】全文
【補正方法】変更
【補正の内容】
【実用新案登録請求の範囲】
【請求項１】
加温した状態で、顔面に装着して使用されるフェイスマスクであって、
シート状のマスク本体と、
該マスク本体の前記顔面に装着される側の面から突出し、前記顔面のツボに対応する位置に配置された複数の突部と、
前記マスク本体および前記複数の突部の少なくとも一方に保持された液体とを有することを特徴とするフェイスマスク。
【請求項２】
前記複数の突部は、印堂、水溝および承奨の３つのツボに対応する位置に配置された３つの前記突部を含み、
当該フェイスマスクは、前記３つの突部を基準として、前記顔面に装着される請求項１に記載のフェイスマスク。
【請求項３】
前記マスク本体は、伸縮性を有する請求項１または２に記載のフェイスマスク。
【請求項４】
前記マスク本体は、不織布で構成されている請求項１〜３のいずれか１項に記載のフェイスマスク。
【請求項５】
各前記突部は、硬化性樹脂を含む樹脂組成物の硬化物で構成されている請求項１〜４のいずれか１項に記載のフェイスマスク。
【請求項６】
前記液体は、保湿成分、薬効成分および美白成分のうちの少なくとも１種を含有する請求項１〜５のいずれか１項に記載のフェイスマスク。
【請求項７】
請求項１〜６のいずれか１項に記載のフェイスマスクを加温するための加温装置であって、
前記フェイスマスクを収容可能な収容空間を備える装置本体と、
該装置本体内に設けられ、前記フェイスマスクを加温する加温部と、
前記装置本体に回動可能に取り付けられ、前記収容空間を開閉する蓋体とを有することを特徴とする加温装置。
【請求項８】
前記蓋体の前記収容空間側の面は、反射面を構成している請求項７に記載の加温装置。
【請求項９】
前記フェイスマスクの最高到達温度は、４５℃以下である請求項７または８に記載の加温装置。
【請求項１０】
前記フェイスマスクを加温する際の昇温速度は、１〜３℃／分である請求項７〜９のいずれか１項に記載の加温装置。
【手続補正２】
【補正対象書類名】明細書
【補正対象項目名】０００５
【補正方法】変更
【補正の内容】
【０００５】
このような目的は、下記（１）〜（１０）の本考案により達成される。
（１）  加温した状態で、顔面に装着して使用されるフェイスマスクであって、
シート状のマスク本体と、
該マスク本体の前記顔面に装着される側の面から突出し、前記顔面のツボに対応する位置に配置された複数の突部と、
前記マスク本体および前記複数の突部の少なくとも一方に保持された液体とを有することを特徴とするフェイスマスク。
【手続補正３】
【補正対象書類名】明細書
【補正対象項目名】００１１
【補正方法】変更
【補正の内容】
【００１１】
（７）  上記（１）〜（６）のいずれか１つに記載のフェイスマスクを加温するための加温装置であって、
前記フェイスマスクを収容可能な収容空間を備える装置本体と、
該装置本体内に設けられ、前記フェイスマスクを加温する加温部と、
前記装置本体に回動可能に取り付けられ、前記収容空間を開閉する蓋体とを有することを特徴とする加温装置。
【手続補正４】
【補正対象書類名】明細書
【補正対象項目名】００１５
【補正方法】削除
【補正の内容】